(57)【要約】【課題】差し込まれた外部メモリに記憶されているファイルのうち作成又は更新されたファイルの印刷内容をユーザーに一つずつ眺めさせることが可能なスタンドアロン型のラベル作成装置を提供すること。【解決手段】ラベル作成装置は、１枚のラベルの印刷内容を収めたファイルが記憶される外部メモリが挿脱可能なメモリ・スロットを備えたスタンドアロン型のものであって、メモリ・スロットに外部メモリが差し込まれたことを検出したときに、外部メモリに記憶されているファイルのうちラベルの印刷内容が作成又は更新されたファイルの印刷プレビューを液晶ディスプレイに順次表示させるプレビュー表示処理（Ｓ２４）が行われる。【選択図】図６
2013202925.tif 000002
【特許請求の範囲】
【請求項１】
ラベルを作成するラベル作成装置であって、
１枚のラベルの印刷内容が表示される液晶ディスプレイと、
１枚のラベルの印刷内容を収めたファイルが記憶される外部メモリが挿脱可能なスロットと、
当該ラベル作成装置を制御する制御装置と、を備え、
前記制御装置は、前記スロットに外部メモリが差し込まれたことを検出したときに、前記外部メモリに記憶されているファイルのうちラベルの印刷内容が作成又は更新されたファイルの印刷プレビューを前記液晶ディスプレイに順次表示させるプレビュー表示処理を行うこと、を特徴とするラベル作成装置。
【請求項２】
請求項１に記載するラベル作成装置であって、
当該ラベル作成装置をユーザーが作動させるための操作キーを備え、
前記制御装置は、前記液晶ディスプレイに表示中の印刷プレビューのファイルに関する操作を前記操作キーで可能にすること、を特徴とするラベル作成装置。
【請求項３】
請求項１又は請求項２に記載するラベル作成装置であって、
前記スロットに差し込まれている外部メモリのデバイス名情報と前記外部メモリの前回接続日時情報とが関連づけられて記憶されるデバイス管理テーブルを備え、
前記制御装置は、
前記スロットに差し込まれている外部メモリのデバイス名情報と前記外部メモリに記憶されているファイルの変更日時情報を取得し、
前記取得されたデバイス名情報に前記デバイス管理テーブルで関連づけられている前回接続日時情報よりも前記取得された変更日時情報が新しいファイルを抽出し、
前記抽出されたファイルの印刷プレビューを前記プレビュー表示処理の対象にし、
前記取得されたデバイス名情報に前記デバイス管理テーブルで関連づけられている前回接続日時情報を現在の日時が示された情報に書き換えること、を特徴とするラベル作成装置。
【請求項４】
請求項１乃至請求項３のいずれか一つに記載するラベル作成装置であって、
前記制御装置は、前記プレビュー表示処理における印刷プレビューの順次表示を自動的に行うこと、を特徴とするラベル作成装置。
【請求項５】
請求項２又は請求項３に記載するラベル作成装置であって、
前記制御装置は、前記プレビュー表示処理における印刷プレビューの順次表示を前記操作キーで行うこと、を特徴とするラベル作成装置。
【請求項６】
請求項１乃至請求項５のいずれか一つに記載するラベル作成装置であって、
前記制御装置は、前記プレビュー表示処理を行う場合に、前記外部メモリに記憶されているファイルのうちラベルの印刷内容が作成又は更新されたファイルの印刷プレビューに代えて、前記外部メモリに記憶されているファイルのうちラベルの印刷内容が作成又は更新されたファイルの名前を前記液晶ディスプレイに順次表示させること、を特徴とするラベル作成装置。
【発明の詳細な説明】
【技術分野】
【０００１】
本発明は、外部メモリに記憶されているファイルの印刷内容をテープに印刷してラベルにするスタンドアロン型のラベル作成装置に関するものである。
【背景技術】
【０００２】
従来のラベル作成装置には、外部メモリに記憶されているファイルの印刷内容をテープに印刷してラベルにするスタンドアロン型のものがある。一方、外部メモリに記憶されているファイルの印刷内容は、例えば、下記特許文献１に記載された技術のように、ファクシミリ装置では、液晶ディスプレイにサムネイルで表示される。
【先行技術文献】
【特許文献】
【０００３】
【特許文献１】特開２００４−２０６４６４号公報
【発明の概要】
【発明が解決しようとする課題】
【０００４】
しかしながら、パーソナル・コンピュータで作成又は更新された印刷内容のファイルが外部メモリに記憶されている場合に、そのファイルを上記スタンドアロン型のラベル作成装置で印刷してラベルにしようとすれば、外部メモリに膨大な数の他のファイルが記憶されていると、上記スタンドアロン型のラベル作成装置は、膨大な数のファイルが記憶されている外部メモリから印刷が所望されるファイルを探し出さなければならず、印刷が所望されるファイルの存在をユーザーが確認するまでに手間がかかっていた。
【０００５】
さらに、従来のラベル作成装置に備えられた液晶ディスプレイは、テープに印刷される内容を表示するための大きさとされ、複数のサムネイルを同時に表示させることは困難な大きさである。
【０００６】
そこで、本発明は、上述した点を鑑みてなされたものであり、差し込まれた外部メモリに記憶されているファイルのうち作成又は更新されたファイルの印刷内容をユーザーに一つずつ眺めさせることが可能なスタンドアロン型のラベル作成装置を提供することを課題とする。
【課題を解決するための手段】
【０００７】
この課題を解決するためになされた請求項１に係る発明は、ラベルを作成するラベル作成装置であって、１枚のラベルの印刷内容が表示される液晶ディスプレイと、１枚のラベルの印刷内容を収めたファイルが記憶される外部メモリが挿脱可能なスロットと、当該ラベル作成装置を制御する制御装置と、を備え、前記制御装置は、前記スロットに外部メモリが差し込まれたことを検出したときに、前記外部メモリに記憶されているファイルのうちラベルの印刷内容が作成又は更新されたファイルの印刷プレビューを前記液晶ディスプレイに順次表示させるプレビュー表示処理を行うこと、を特徴とする。
【０００８】
また、請求項２に係る発明は、請求項１に記載するラベル作成装置であって、当該ラベル作成装置をユーザーが作動させるための操作キーを備え、前記制御装置は、前記液晶ディスプレイに表示中の印刷プレビューのファイルに関する操作を前記操作キーで可能にすること、を特徴とする。
【０００９】
また、請求項３に係る発明は、請求項１又は請求項２に記載するラベル作成装置であって、前記スロットに差し込まれている外部メモリのデバイス名情報と前記外部メモリの前回接続日時情報とが関連づけられて記憶されるデバイス管理テーブルを備え、前記制御装置は、前記スロットに差し込まれている外部メモリのデバイス名情報と前記外部メモリに記憶されているファイルの変更日時情報を取得し、前記取得されたデバイス名情報に前記デバイス管理テーブルで関連づけられている前回接続日時情報よりも前記取得された変更日時情報が新しいファイルを抽出し、前記抽出されたファイルの印刷プレビューを前記プレビュー表示処理の対象にし、前記取得されたデバイス名情報に前記デバイス管理テーブルで関連づけられている前回接続日時情報を現在の日時が示された情報に書き換えること、を特徴とする。
【００１０】
また、請求項４に係る発明は、請求項１乃至請求項３のいずれか一つに記載するラベル作成装置であって、前記制御装置は、前記プレビュー表示処理における印刷プレビューの順次表示を自動的に行うこと、を特徴とする。
【００１１】
また、請求項５に係る発明は、請求項２又は請求項３に記載するラベル作成装置であって、前記制御装置は、前記プレビュー表示処理における印刷プレビューの順次表示を前記操作キーで行うこと、を特徴とする。
【００１２】
また、請求項６に係る発明は、請求項１乃至請求項５のいずれか一つに記載するラベル作成装置であって、前記制御装置は、前記プレビュー表示処理を行う場合に、前記外部メモリに記憶されているファイルのうちラベルの印刷内容が作成又は更新されたファイルの印刷プレビューに代えて、前記外部メモリに記憶されているファイルのうちラベルの印刷内容が作成又は更新されたファイルの名前を前記液晶ディスプレイに順次表示させること、を特徴とする。
【発明の効果】
【００１３】
すなわち、本発明のラベル作成装置は、１枚のラベルの印刷内容を収めたファイルが記憶される外部メモリが挿脱可能なスロットを備えたスタンドアロン型のものであって、スロットに外部メモリが差し込まれたことを検出したときに、外部メモリに記憶されているファイルのうちラベルの印刷内容が作成又は更新されたファイルの印刷プレビューを液晶ディスプレイに順次表示させるプレビュー表示処理が行われることから、差し込まれた外部メモリに記憶されているファイルのうち作成又は更新されたファイルの印刷内容をユーザーに一つずつ眺めさせることが可能なスタンドアロン型のラベル作成装置である。
【００１４】
また、本発明のラベル作成装置では、液晶ディスプレイに表示中の印刷プレビューのファイルに関する操作が操作キーで可能であることから、例えば、液晶ディスプレイに表示中の印刷プレビューのファイルに関する印刷操作を簡単に行うことができ、印刷の操作性が向上する。
【００１５】
また、本発明のラベル作成装置では、スロットに差し込まれている外部メモリのデバイス名情報と外部メモリに記憶されているファイルの変更日時情報を取得し、取得されたデバイス名情報にデバイス管理テーブルで関連づけられている前回接続日時情報よりも取得された変更日時情報が新しいファイルを抽出し、抽出されたファイルの印刷プレビューをプレビュー表示処理の対象にし、プレビュー表示処理の際には、取得されたデバイス名情報にデバイス管理テーブルで関連づけられている前回接続日時情報を現在の日時が示された情報に書き換える。これにより、外部メモリがスロットに差し込まれる度に、外部メモリに記憶されているファイルのうちラベルの印刷内容が前回接続日時情報よりも後に作成又は更新されたファイルの印刷プレビューを液晶ディスプレイに順次表示させるプレビュー表示処理を行うことが可能である。
【００１６】
また、本発明のラベル作成装置では、プレビュー表示処理の一態様として、プレビュー表示処理における印刷プレビューの順次表示を自動的に行う。
【００１７】
また、本発明のラベル作成装置では、プレビュー表示処理の一態様として、プレビュー表示処理における印刷プレビューの順次表示を操作キーで行う。
【００１８】
また、本発明のラベル作成装置では、プレビュー表示処理を行う場合に、外部メモリに記憶されているファイルのうちラベルの印刷内容が作成又は更新されたファイルの印刷プレビューに代えて、外部メモリに記憶されているファイルのうちラベルの印刷内容が作成又は更新されたファイルの名前を液晶ディスプレイに順次表示させるようにすれば、例えば、印刷プレビューを表示する解像度が無くても、ファイルの名前が液晶ディスプレイに表示されるので、ユーザーにその存在を知らせることができる。
【図面の簡単な説明】
【００１９】
【図１】本発明の一実施形態に係るラベル作成装置と外部メモリと表した平面図である。
【図２】同ラベル作成装置の制御系が表されたブロック図である。
【図３】同ラベル作成装置に出し入れされる外部メモリを表した図である。
【図４】同ラベル作成装置に記憶されるデバイス管理テーブルを表した図である。
【図５】同ラベル作成装置に差し込まれた外部メモリに記憶されているファイルのうち作成又は更新されたファイルの印刷内容をユーザーに一つずつ眺めさせる際の制御プログラムを表したフローチャート図である。
【図６】同ラベル作成装置に差し込まれた外部メモリに記憶されているファイルのうち作成又は更新されたファイルの印刷内容をユーザーに一つずつ眺めさせる際の制御プログラムを表したフローチャート図である。
【図７】同ラベル作成装置とラベルと表した平面図である。
【図８】同ラベル作成装置のプレビュー表示の一例を表した図である。
【図９】同ラベル作成装置に記憶される表示リストを表した図である。
【発明を実施するための形態】
【００２０】
［１．ラベル作成装置の概要］
図１に示すように、本実施形態に係るラベル作成装置１には、本体２や、キーボード３、液晶ディスプレイ４、テープ出口５、メモリ・スロット７１が設けられている。ラベル作成装置１は、他機との通信手段を持たないスタンドアロン型のラベル作成用のプリンタである。キーボード３には、印刷ボタン３Ａや次データ表示ボタン３Ｂや左右ボタン３Ｃ等の多数の操作キーが設けられている。テープ出口５からは、テープから作成されたラベル（下記図７の符号Ｌ参照）が出される。メモリ・スロット７１には、外部メモリ７８が出し入れされる。
【００２１】
次に、本実施形態に係るラベル作成装置１の制御構成について、図面を参照しつつ詳細に説明する。図２に表されたように、本実施形態に係るラベル作成装置１内には、制御基板（図示せず）が配設されており、この制御基板上には、制御部６０、タイマ６７、ヘッド駆動回路６８、切断用モータ駆動回路６９、搬送モータ駆動回路７０が配設されている。
【００２２】
制御部６０は、ＣＰＵ６１、ＣＧ−ＲＯＭ６２、ＥＥＰＲＯＭ６３、ＲＯＭ６４、ＲＡＭ６６により構成されている。制御部６０は、タイマ６７、ヘッド駆動回路６８、切断用モータ駆動回路６９、搬送モータ駆動回路７０と接続されている。制御部６０は、液晶ディスプレイ４、キーボード３、メモリ・スロット７１にも接続されている。ＣＰＵ６１は、本実施形態に係るラベル作成装置１における各種制御の中枢を担う中央演算処理装置である。ＣＰＵ６１は、キーボード３等からの入力信号及び各種制御プログラム等に基づいて、液晶ディスプレイ４等の各周辺装置を制御する。
【００２３】
ＣＧ−ＲＯＭ６２は、印刷される文字や記号の画像データをコードデータと対応させてドットパターンで記憶するキャラクタージェネレータ用メモリである。ＥＥＰＲＯＭ６３は、記憶内容の書込・消去ができる不揮発性メモリであり、本実施形態に係るラベル作成装置１における設定等を示すデータを格納している。後述するデバイス管理テーブル（下記図４の符号Ｔ参照）は、ＥＥＰＲＯＭ６３に記憶される。ＲＯＭ６４には、本実施形態に係るラベル作成装置１における各種制御プログラムやデータが格納されている。後述する制御プログラム等は、このＲＯＭ６４に格納されている。
【００２４】
ＲＡＭ６６は、ＣＰＵ６１での演算結果等を一時的に格納する記憶装置である。ＲＡＭ６６には、キーボード３の入力により生成された印字データや、外部メモリ７８からメモリ・スロット７１を介して取り込まれた印字データも格納される。タイマ６７は、本実施の形態に係るラベル作成装置１の制御を実行する際に現在の日時を表す計時装置である。
【００２５】
ヘッド駆動回路６８は、ＣＰＵ６１が実行する制御プログラムに基づいて、サーマルヘッド４１に駆動信号を供給し、サーマルヘッド４１の駆動状態を制御する回路である。切断用モータ駆動回路６９は、ＣＰＵ６１からの制御信号に基づいて切断用モータ７２に駆動信号を供給し、切断用モータ７２の駆動制御を行う回路である。搬送モータ駆動回路７０は、ＣＰＵ６１が実行する制御プログラムに基づいて、テープ搬送モータ７３に駆動信号を供給し、テープ搬送モータ７３の駆動制御を行う制御回路である。
【００２６】
［２．外部メモリの概要］
外部メモリ７８は、大容量のメモリ・カードである。この実施形態では、図１に表されたように、外部メモリ７８は２ＧＢの記憶容量をもつ。外部メモリ７８には、図３に表されたように、複数のファイルＦ１，Ｆ２，Ｆ３，…が記憶されている。各ファイルＦ１，Ｆ２，Ｆ３，…には、１枚のラベル（下記図７の符号Ｌ参照）の印刷内容のデータが記憶される領域Ｒ１や、当該ファイルの名前のデータが記憶される領域Ｒ２、当該ファイルの作成・更新の日時のデータが記憶される領域Ｒ３等が設けられている。尚、図３では、３つのファイルＦ１，Ｆ２，Ｆ３しか記載されていないが、外部メモリ７８は２ＧＢの記憶容量をもつため、記憶されるファイルの数は膨大である。
【００２７】
ファイルＦ１では、当該ファイルの名前のデータが記憶される領域Ｒ２に、［Ｆｉｌｅ０１．ｌｂｘ］の名前のデータが記憶されている。これにより、ファイルＦ１は、［Ｆｉｌｅ０１．ｌｂｘ］というファイルの名前をもつことがわかる。また、ファイルＦ１では、当該ファイルの作成・更新の日時のデータが記憶される領域Ｒ３に、「変更日時情報」として、［２０１２／０９／３０  １０：００］の日時のデータが記憶されている。これにより、ファイルＦ１は、２０１２年９月３０日午前１０：００において、領域Ｒ１の印刷内容のデータが作成又は更新されたことがわかる。
【００２８】
ファイルＦ２では、当該ファイルの名前のデータが記憶される領域Ｒ２に、［Ｆｉｌｅ０２．ｌｂｘ］の名前のデータが記憶されている。これにより、ファイルＦ２は、［Ｆｉｌｅ０２．ｌｂｘ］というファイルの名前をもつことがわかる。また、ファイルＦ２では、当該ファイルの作成・更新の日時のデータが記憶される領域Ｒ３に、「変更日時情報」として、［２０１２／１１／３０  １６：００］の日時のデータが記憶されている。これにより、ファイルＦ２は、２０１２年１１月３０日午後４：００において、領域Ｒ１の印刷内容のデータが作成又は更新されたことがわかる。
【００２９】
ファイルＦ３では、当該ファイルの名前のデータが記憶される領域Ｒ２に、［Ｆｉｌｅ０３．ｌｂｘ］の名前のデータが記憶されている。これにより、ファイルＦ３は、［Ｆｉｌｅ０３．ｌｂｘ］というファイルの名前をもつことがわかる。また、ファイルＦ３では、当該ファイルの作成・更新の日時のデータが記憶される領域Ｒ３に、「変更日時情報」として、［２０１２／１１／１５  １２：００］の日時のデータが記憶されている。これにより、ファイルＦ３は、２０１２年１１月１５日正午１２：００において、領域Ｒ１の印刷内容のデータが作成又は更新されたことがわかる。
【００３０】
また、外部メモリ７８は、「デバイス名情報」が記憶される領域Ｒ４が設けられる。「デバイス名情報」は、外部メモリ７８の名前（デバイス名）を表しており、本実施形態に係るラベル作成装置１によって作成され、外部メモリ７８の領域Ｒ４に記憶される。本実施形態では、「デバイス名情報」が記憶される領域Ｒ４に、［ＰＴ−ＫＯＮＤＯ−０１］の「デバイス名情報」が記憶されている。これにより、外部メモリ７８の名前（デバイス名）は、［ＰＴ−ＫＯＮＤＯ−０１］であることがわかる。
【００３１】
［３．デバイス管理テーブルの概要］
図４に表されたように、デバイス管理テーブルＴには、「デバイス名情報」と「前回接続日時情報」とが関連付けられて、本実施の形態に係るラベル作成装置１のＥＥＰＲＯＭ６３に記憶されている。
【００３２】
デバイス管理テーブルＴでは、例えば、「デバイス名情報」の［ＰＴ−ＫＯＮＤＯ−０１］と「前回接続日時情報」の［２０１１／１０／３１  １８：３３］とが関連付けて記憶されている。外部メモリ７８の名前（デバイス名）が［ＰＴ−ＫＯＮＤＯ−０１］であることから、本実施の形態に係るラベル作成装置１が外部メモリ７８と前回のアクセスを完了した日時が２０１１年１０月３１日午後６時３３分であることがわかる。
【００３３】
また、「デバイス名情報」の［ＰＴ−ＳＤＥＶ２−０１］と「前回接続日時情報」の［２０１１／１１／３１  １１：３４］とが関連付けて記憶されている。これにより、本実施の形態に係るラベル作成装置１が［ＰＴ−ＳＤＥＶ２−０１］と名付けた外部メモリが本実施の形態に係るラベル作成装置１と前回のアクセスを完了した日時が２０１１年１１月３１日午前１１時３１分であることがわかる。
【００３４】
更に、「デバイス名情報」の［ＰＴ−ＢＲＯＴＨＥＲ−０１］と「前回接続日時情報」の［２０１１／１２／３１  １９：０３］とが関連付けて記憶されている。これにより、本実施の形態に係るラベル作成装置１が［ＰＴ−ＢＲＯＴＨＥＲ−０１］と名付けられた外部メモリが本実施の形態に係るラベル作成装置１と前回のアクセスを完了した日時が２０１１年１２月３１日午後７時３分であることがわかる。
【００３５】
［４．プレビュー表示時の制御］
次に、本実施の形態に係るラベル作成装置１に差し込まれた外部メモリに記憶されているファイルのうち作成又は更新されたファイルの印刷内容をユーザーに一つずつ眺めさせる際の制御プログラムについて説明する。図５と図６のフローチャートで表された制御プログラムは、ＣＰＵ６１により実行される。図５に表されたように、先ず、Ｓ１１において、本実施の形態に係るラベル作成装置１が編集モードにされる。その後は、Ｓ１２に進む。
【００３６】
Ｓ１２では、本実施の形態に係るラベル作成装置１が外部メモリとの接続を検出したか否かが判断される。つまり、本実施の形態に係るラベル作成装置１のメモリ・スロット７１に外部メモリが差し込まれたか否かが判断される。この判断処理は、メモリ・スロット７１からの信号に基づいて行われる。ここで、本実施の形態に係るラベル作成装置１のメモリ・スロット７１に外部メモリが差し込まれていない場合には（Ｓ１２：ＮＯ）、上記Ｓ１１に戻って、上述した処理が繰り返される。一方、本実施の形態に係るラベル作成装置１のメモリ・スロット７１に外部メモリが差し込まれた場合には（Ｓ１２：ＹＥＳ）、Ｓ１３に進む。
【００３７】
Ｓ１３では、本実施の形態に係るラベル作成装置１のメモリ・スロット７１に差し込まれた外部メモリのデバイス名が取得される。例えば、本実施の形態に係るラベル作成装置１のメモリ・スロット７１に外部メモリ７８が差し込まれている場合には、外部メモリ７８の領域Ｒ４から［ＰＴ−ＫＯＮＤＯ−０１］のデバイス名（「デバイス名情報」）が取得される。その後は、Ｓ１４に進む。
【００３８】
Ｓ１４では、上記Ｓ１３で取得されたデバイス名（「デバイス名情報」）がデバイス管理テーブルＴに登録されているか否かが判断される。ここで、上記Ｓ１３で取得されたデバイス名（「デバイス名情報」）がデバイス管理テーブルＴに登録されている場合には（Ｓ１４：ＹＥＳ）、Ｓ１５に進む。例えば、本実施の形態に係るラベル作成装置１のメモリ・スロット７１に外部メモリ７８が差し込まれている場合には、上記Ｓ１３で取得された［ＰＴ−ＫＯＮＤＯ−０１］のデバイス名（「デバイス名情報」）はデバイス管理テーブルＴに登録されているので（図４参照）、Ｓ１５に進む。
【００３９】
Ｓ１５では、「前回接続日時情報」が取得される。つまり、上記Ｓ１４の判断対象となったデバイス名（「デバイス名情報」）と関連付けてデバイス管理テーブルＴに記憶されている「前回接続日時情報」が取得される。例えば、本実施の形態に係るラベル作成装置１のメモリ・スロット７１に外部メモリ７８が差し込まれている場合には、上記Ｓ１３で取得された［ＰＴ−ＫＯＮＤＯ−０１］のデバイス名（「デバイス名情報」）と関連付けてデバイス管理テーブルＴに記憶されている「前回接続日時情報」の［２０１１／１０／３１  １８：３３］が取得される。その後は、Ｓ１６に進む。
【００４０】
Ｓ１６では、本実施の形態に係るラベル作成装置１のメモリ・スロット７１に差し込まれた外部メモリのファイル一覧から先頭ファイルが確認対象ファイルに設定される。例えば、本実施の形態に係るラベル作成装置１のメモリ・スロット７１に外部メモリ７８が差し込まれている場合には、ファイルＦ１が確認対象ファイルに設定される（図３参照）。その後は、Ｓ１７に進む。
【００４１】
Ｓ１７では、上記Ｓ１５で取得された「前回接続日時情報」より上記Ｓ１６で設定された確認対象ファイルの「変更日時情報」が新しいか否かが判断される。例えば、本実施の形態に係るラベル作成装置１のメモリ・スロット７１に外部メモリ７８が差し込まれている場合には、上記Ｓ１５で取得された「前回接続日時情報」は［２０１１／１０／３１  １８：３３］である一方、上記Ｓ１６で設定された確認対象ファイル（ファイルＦ１）の「変更日時情報」が［２０１２／０９／３０  １０：００］であるので（図３参照）、上記Ｓ１５で取得された「前回接続日時情報」より上記Ｓ１６で設定された確認対象ファイルの「変更日時情報」が新しいと判断される。
【００４２】
ここで、上記Ｓ１５で取得された「前回接続日時情報」より上記Ｓ１６で設定された確認対象ファイルの「変更日時情報」が新しくない場合には（Ｓ１７：ＮＯ）、後述するＳ１９まで進む。一方、上記Ｓ１５で取得された「前回接続日時情報」より上記Ｓ１６で設定された確認対象ファイルの「変更日時情報」が新しい場合には（Ｓ１７：ＹＥＳ）、Ｓ１８に進む。
尚、ファイルの「変更日時情報」には、「作成日時又は更新日時のうち日時が新しい方」が記憶されている。
【００４３】
Ｓ１８では、確認対象ファイル（ファイルＦ１）が表示リストに追加される。尚、表示リストは、例えば、図９に表されたようなテーブルであり、本実施の形態に係るラベル作成装置１のＲＡＭ６６に確保される。その後は、Ｓ１９に進む。
【００４４】
Ｓ１９では、本実施の形態に係るラベル作成装置１のメモリ・スロット７１に差し込まれた外部メモリのファイル一覧の全ファイルが確認対象ファイルに設定済みか否かが判断される。ここで、本実施の形態に係るラベル作成装置１のメモリ・スロット７１に差し込まれた外部メモリのファイル一覧の全ファイルが確認対象ファイルに設定済みでない場合には（Ｓ１９：ＮＯ）、Ｓ２０に進む。
【００４５】
Ｓ２０では、本実施の形態に係るラベル作成装置１のメモリ・スロット７１に差し込まれた外部メモリのファイル一覧において、これまで確認対象ファイルに設定されていたファイルの次のファイルが確認対象ファイルに設定される。例えば、本実施の形態に係るラベル作成装置１のメモリ・スロット７１に外部メモリ７８が差し込まれている場合において、これまでファイルＦ１が確認対象ファイルに設定されていたときは、ファイルＦ２が確認対象ファイルに設定される（図３参照）。
【００４６】
その後は、上述したＳ１７以降の処理を繰り返す。そして、Ｓ１９において、本実施の形態に係るラベル作成装置１のメモリ・スロット７１に差し込まれた外部メモリのファイル一覧の全ファイルが確認対象ファイルに設定済みである場合には（Ｓ１９：ＹＥＳ）、後述する図６のＳ２３に進む。
【００４７】
また、上記Ｓ１４において、上記Ｓ１３で取得されたデバイス名（「デバイス名情報」）がデバイス管理テーブルＴに登録されていない場合には（Ｓ１４：ＮＯ）、Ｓ２１に進む。
【００４８】
Ｓ２１では、本実施の形態に係るラベル作成装置１のメモリ・スロット７１に差し込まれた外部メモリの全ファイルが表示リスト（上記Ｓ１８，上記図９参照）に追加される。その後はＳ２２に進む。
【００４９】
Ｓ２２では、本実施の形態に係るラベル作成装置１のメモリ・スロット７１に差し込まれた外部メモリのデバイス名（「デバイス名情報」）が作成され、その作成されたデバイス名（「デバイス名情報」）がデバイス管理テーブルＴに記憶される。また、本実施の形態に係るラベル作成装置１のメモリ・スロット７１に差し込まれた外部メモリの領域Ｒ４にも、その作成されたデバイス名（「デバイス名情報」）が記憶される。その後は、図６のＳ２３に進む。
【００５０】
Ｓ２３では、上記Ｓ１８又は上記Ｓ２１で作成された表示リストから先頭ファイルがプレビュー表示の対象ファイルに設定される。その後は、Ｓ２４に進む。
【００５１】
Ｓ２４では、プレビュー表示が行われる。例えば、外部メモリ７８のファイルＦ１がプレビュー表示の対象ファイルに設定されていた場合には、ファイルＦ１の領域Ｒ１に記憶された印刷内容データが液晶ディスプレイ４に表示される。その後は、Ｓ２５に進む。
【００５２】
Ｓ２５では、印刷ボタン３Ａが押下されたか否かが判断される。ここで、印刷ボタン３Ａが押下されていない場合には（Ｓ２５：ＮＯ）、後述するＳ２８に進む。一方、印刷ボタン３Ａが押下された場合には（Ｓ２５：ＹＥＳ）、Ｓ２６に進む。
【００５３】
Ｓ２６では、印刷オプション設定がキーボード３等のキー操作によって行われる。その後は、Ｓ２７に進む。
【００５４】
Ｓ２７では、印刷処理が行われる。具体的には、ＣＰＵ６１がヘッド駆動回路６８を介してサーマルヘッド４１を駆動させる。また、ＣＰＵ６１が搬送モータ駆動回路７０を介してテープ搬送モータ７３を駆動させる。それらの働きにより、上記Ｓ２４で液晶ディスプレイ４に表示中の印刷内容データがインクリボンを介してテープに印字される。そして、ＣＰＵ６１が切断用モータ駆動回路６９を介して切断用モータ７２を駆動させることより、不図示の切断用カッタでテープを切断すると、図７に表されたように、液晶ディスプレイ４に表示中の印刷内容データが印刷されたラベルＬが作成される。その後は、Ｓ２８に進む。
【００５５】
Ｓ２８では、次データ表示ボタン３Ｂが押下されたか否かが判断される。ここで、次データ表示ボタン３Ｂが押下されていない場合には（Ｓ２８：ＮＯ）、上記Ｓ２５に戻って、上述した処理が繰り返される。一方、次データ表示ボタン３Ｂが押下された場合には（Ｓ２８：ＹＥＳ）、Ｓ２９に進む。次データ表示ボタン３Ｂは、次のファイルをプレビュー表示の対象ファイルにするためのボタンである。
【００５６】
Ｓ２９では、上記Ｓ１８又は上記Ｓ２１で作成された表示リストの全ファイルがプレビュー表示されたか否かが判断される。ここで、上記Ｓ１８又は上記Ｓ２１で作成された表示リストの全ファイルがプレビュー表示されていない場合には（Ｓ２９：ＮＯ）、Ｓ３０に進む。
【００５７】
Ｓ３０では、上記Ｓ１８又は上記Ｓ２１で作成された表示リストにおいて、これまでプレビュー表示の対象ファイルに設定されていたファイルの次のファイルがプレビュー表示の対象ファイルに設定される。その後は、上述したＳ２４以降の処理を繰り返す。そして、Ｓ２９において、上記Ｓ１８又は上記Ｓ２１で作成された表示リストの全ファイルがプレビュー表示された場合には（Ｓ２９：ＹＥＳ）、Ｓ３１に進む。
【００５８】
Ｓ３１では、本実施の形態に係るラベル作成装置１のメモリ・スロット７１に差し込まれた外部メモリのデバイス名（「デバイス名情報」）とデバイス管理テーブルＴで関連付けられている「前回接続日時情報」を「現在の日時が示された情報」に置き換えられる。「現在の日時が示された情報」は、タイマ６７から取得される。その後は、Ｓ３２に進む。
【００５９】
Ｓ３２では、本実施の形態に係るラベル作成装置１が編集モードにされる。以上より、本実施の形態に係るラベル作成装置１では、例えば、図８に示すように、液晶ディスプレイ４において、編集モードの表示画像４Ａの表示（Ｓ１１）、作成又は更新されたファイルの印刷内容４Ｂ，４Ｃ，…のプレビュー表示（Ｓ２４）、編集モードの表示画像４Ａの表示（Ｓ１１）が行われる。
【００６０】
［５．まとめ］
すなわち、本実施の形態に係るラベル作成装置１は、１枚のラベルＬの印刷内容を収めたファイルＦ１，Ｆ２，Ｆ３，…が記憶される外部メモリ７８が挿脱可能なメモリ・スロット７１を備えたスタンドアロン型のものであって、メモリ・スロット７１に外部メモリ７８が差し込まれたことを検出したときに（Ｓ１２：ＹＥＳ）、外部メモリ７８に記憶されているファイルＦ１，Ｆ２，Ｆ３，…のうちラベルＬの印刷内容が作成又は更新されたファイルの印刷プレビューを液晶ディスプレイ４に順次表示させるプレビュー表示処理（Ｓ１３〜Ｓ２９）が行われる。従って、本実施の形態に係るラベル作成装置１は、差し込まれた外部メモリ７８に記憶されているファイルＦ１，Ｆ２，Ｆ３，…のうち作成又は更新されたファイルの印刷内容を、例えば、図８に示すようにして、ユーザーに一つずつ眺めさせることが可能なスタンドアロン型のラベル作成装置１である。
【００６１】
また、本実施の形態に係るラベル作成装置１では、液晶ディスプレイ４に表示中の印刷プレビューのファイルに関する操作がキーボード３の操作キーで可能であることから（Ｓ２５，Ｓ２８）、例えば、液晶ディスプレイ４に表示中の印刷プレビューのファイルに関する印刷操作（印刷ボタン３Ａの押下）を簡単に行うことができ、印刷の操作性が向上する。
【００６２】
また、本実施の形態に係るラベル作成装置１では、メモリ・スロット７１に差し込まれている外部メモリ７８の「デバイス名情報」と外部メモリ７８に記憶されているファイルＦ１，Ｆ２，Ｆ３，…の「変更日時情報」を取得し（Ｓ１３，Ｓ１７）、Ｓ１３で取得された「デバイス名情報」にデバイス管理テーブルＴで関連づけられている「前回接続日時情報」よりもＳ１７で取得された「変更日時情報」が新しいファイルを抽出し（Ｓ１７：ＹＥＳ）、表示リストを介して（Ｓ１８，Ｓ２１，Ｓ２３，Ｓ３０）、抽出されたファイルの印刷プレビューをプレビュー表示処理（Ｓ２４）の対象にし、プレビュー表示処理（Ｓ２４）の際には、Ｓ１３で取得された「デバイス名情報」にデバイス管理テーブルＴで関連づけられている「前回接続日時情報」を「現在の日時が示された情報」に書き換える（Ｓ３１）。これにより、外部メモリがメモリ・スロット７１に差し込まれる度に、その外部メモリに記憶されているファイルのうちラベルの印刷内容が「前回接続日時情報」よりも後に作成又は更新されたファイルの印刷プレビューを液晶ディスプレイ４に順次表示させるプレビュー表示処理（Ｓ２４）を行うことが可能である。
【００６３】
また、本実施の形態に係るラベル作成装置１では、プレビュー表示処理（Ｓ２４）における印刷プレビューの順次表示を操作キー（次データ表示ボタン３Ｂの押下）で行っている。
【００６４】
［６．その他］
尚、本発明は上記実施形態に限定されるものでなく、その趣旨を逸脱しない範囲で様々な変更が可能である。
例えば、外部メモリ７８としては、コンパクト・フラッシュ、ＳＤメモリーカード、メモリースティック、スマートメディア、マルチメディアカード等を使用することができる。但し、外部メモリ７８として使用するものにメモリ・スロット７１が対応可能であることを条件とする。
【００６５】
また、本実施の形態に係るラベル作成装置１では、プレビュー表示処理（Ｓ２４）における印刷プレビューの順次表示を、Ｓ２８の次データ表示ボタン３Ｂを押下することなく、自動的に行ってもよい。
【００６６】
また、プレビュー表示処理（Ｓ２４）の他の態様としては、液晶ディスプレイ４において、１つずつの印刷イメージを一端から他端に向かって流れるプレビュー表示としたり、１つずつ印刷イメージの一端をプレビューし、左右ボタン３Ｃで見せる範囲を移動表示させてもよい。
【００６７】
また、本実施の形態に係るラベル作成装置１では、プレビュー表示処理（Ｓ２４）を行う場合に、外部メモリに記憶されているファイルのうちラベルの印刷内容が「前回接続日時情報」よりも後に作成又は更新されたファイルの印刷プレビューに代えて、外部メモリに記憶されているファイルのうちラベルの印刷内容が「前回接続日時情報」よりも後に作成又は更新されたファイルの名前を液晶ディスプレイ４に順次表示させるようにしてもよい。そうすれば、例えば、印刷プレビューを表示する解像度が無くても、ファイルの名前が液晶ディスプレイ４に表示されるので、ユーザーにその存在を知らせることができる。具体的には、本実施の形態に係るラベル作成装置１のメモリ・スロット７１に外部メモリ７８が差し込まれている場合において、外部メモリ７８に記憶されているファイルＦ１，Ｆ２，Ｆ３，…のうちラベルＬの印刷内容が「前回接続日時情報」よりも後に作成又は更新されたファイルの印刷プレビューに代えて、各ファイルＦ１，Ｆ２，Ｆ３，…の領域Ｒ２に名前のデータとして記憶されている［Ｆｉｌｅ０１．ｌｂｘ］［Ｆｉｌｅ０２．ｌｂｘ］［Ｆｉｌｅ０３．ｌｂｘ］…のうち、ラベルＬの印刷内容が「前回接続日時情報」よりも後に作成又は更新されたファイルの名前のデータを液晶ディスプレイ４に順次表示させるようにする。本実施の形態に係るラベル作成装置１では、Ｓ３１において前回接続日時情報の更新を行っている。それはプレビュー表示が全て終了した時点で前回接続日時情報の更新を行っているということであるが、外部メモリが差されたことを検出した時や、差されている外部メモリが抜かれたことを検出した時であっても良い。
【００６８】
また、本実施の形態に係るラベル作成装置１では、「本実施の形態に係るラベル作成装置１が立ち上がっている状態において外部メモリ７８がメモリ・スロット７１に挿されたとき」や「本実施の形態に係るラベル作成装置１が電源オフの状態で外部メモリ７８がメモリ・スロット７１に挿された後にラベル作成装置１が電源オンしたとき」に、図５のＳ１１からＳ１３に進ませてもよい。つまり、請求項１に記載の「前記制御装置は、前記スロットに外部メモリが差し込まれたことを検出したときに、」の限定事項の中には、「ラベル作成装置が立ち上がっている状態においてスロットに外部メモリが挿されたとき」や「ラベル作成装置が電源オフの状態でスロットに外部メモリが挿された後にラベル作成装置が電源オンしたとき」が含まれる。
【００６９】
また、本実施の形態に係るラベル作成装置１では、プレビュー表示処理（Ｓ２４）されているファイルの印刷内容に関する操作ついて、本実施の形態に係るラベル作成装置１で印刷又は保存等が記載されたメニュー上でキーボード３の操作キーの操作により選択させてもよい。つまり、請求項２の「前記制御装置は、前記液晶ディスプレイに表示中の印刷プレビューのファイルに関する操作を前記操作キーで可能にすること、」の限定事項の中には、「更新ファイルの印刷イメージを見せている間には、印刷イメージ表示中の更新ファイルの印刷やラベル作成装置への保存などのメニューが選択できる」ことが含まれる。
【符号の説明】
【００７０】
１    ラベル作成装置
３    キーボード
３Ａ  印刷ボタン
３Ｂ  次データ表示ボタン
４    液晶ディスプレイ
４１    サーマルヘッド
６０    制御部
６１    ＣＰＵ
６７    タイマ  
７１    メモリ・スロット
７８    メモリ・カード
Ｌ    ラベル  
Ｒ１    １枚のラベルの印刷内容のデータが記憶される領域
Ｒ２    ファイルの名前のデータが記憶される領域
Ｒ３    ファイルの作成・更新の日時がされる領域
Ｒ４    デバイス名情報が記憶される領域
Ｔ      デバイス管理テーブル
【図１】
2013202925.tif 000003
【図２】
2013202925.tif 000004
【図３】
2013202925.tif 000005
【図４】
2013202925.tif 000006
【図５】
2013202925.tif 000007
【図６】
2013202925.tif 000008
【図７】
2013202925.tif 000009
【図８】
2013202925.tif 000010
【図９】
2013202925.tif 000011